(57)【要約】      （修正有）【課題】三味線の棹に糸巻きを固定するに当たり、糸巻きの緩みを、低コストで確実に防止できるようにする糸巻きの緩み止め具を提供する。【解決手段】緩み止め用具１は、三味線２の棹３に糸巻き４を固定するのに使用するものである。糸巻き４の先端から糸巻き４の軸方向に沿って埋め込む棒状のナット１ａと、この棒状のナット１ａに糸巻き４の先端側から捩じ込むネジ１ｂと、このネジ１ｂの軸１ｂ１に嵌め挿す平板状のクッション材１ｃと、このクッション材１ｃを介してネジ１ｂの軸１ｂ１に螺合させ、クッション材１ｃをネジ１ｂの頭１ｂ２の内面に密着させる平板状の締め付け部材１ｄとでなる。【選択図】図１
0003180502.tif 000002
【実用新案登録請求の範囲】
【請求項１】
三味線の棹に糸巻きを固定するのに使用する三味線の糸巻きの緩み止め用具であって、糸巻きの先端から糸巻きの軸方向に沿って埋め込まれる棒状のナットと、この棒状のナットに糸巻きの先端側から捩じ込まれるネジと、このネジの軸に嵌め挿される平板状のクッション材と、このクッション材を介してネジの軸に螺合され、クッション材をネジの頭の内面に密着させる平板状の締め付け部材とで形成されていることを特徴とする三味線の糸巻きの緩み止め用具。
【請求項２】
請求項1記載の三味線の糸巻きの緩み止め用具であって、締め付け部材が、径の大きい本体部の片面側に、径の小さい小径部を本体部と同心状態で一体状に備えて形成されていることを特徴とする三味線の糸巻きの緩み止め用具。
【請求項３】
請求項１又は２記載の三味線の糸巻きの緩み止め用具を備えて形成されていることを特徴とする三味線。
【考案の詳細な説明】
【技術分野】
【０００１】
本考案は、三味線の糸巻きの緩みを防止できるよう形成した三味線の糸巻きの緩み止め用具に関し、更に詳しくは三味線の糸巻きの緩み止め用具及びこれを用いた三味線に関するものである。
【背景技術】
【０００２】
従来、三味線の糸巻きは、棹の穴に差し込まれただけで止まっているのが通例である。そのため従来の三味線は、使用するのに連れ、糸巻きが摩耗して穴の内面と糸巻きとの間に隙間が生じ、糸巻きの止まりが悪くなって演奏中、糸巻きが滑って糸が緩んでしまう、という問題があった。
【０００３】
而して、この種の問題を解消する従来品としては、例えば特許文献１に記載されている発明がある。
この文献記載の糸巻棒は、先端側の付近に堰部が鍔状に形成され、先端に合成樹脂材がはめ込まれて接着されている。そして、合成樹脂材は、その先端側にネジ穴や縦割り部が形成され、ネジ孔の奥側の段差部にナットが圧入されている。
【０００４】
この従来品は、ボルトを合成樹脂材の先端から捩じ込んで糸巻棒を棹の穴に引き寄せ、鍔状の堰部等と、穴のテーパー面との摩擦抵抗を高め、糸巻棒の緩みを防止する構造である。
【０００５】
そのため、この従来品の場合は、上記の通り、糸巻棒の先端側に鍔状の堰部を形成したり、ナットを組み込むための合成樹脂材を連結する必要があった。
従って、この従来品によると、加工コストや部品コストがかかり、その結果、糸巻棒の値段が高くなるのを避けられない、という問題点があった。
【０００６】
また、従来品は、現在使っている糸巻きに換えて利用するものである。
従って、従来品によると、現在使っている糸巻きをそのまま利用することができず、その分、ユーザーに経済的な負担を強いることになる、という問題点があった。
【先行技術文献】
【特許文献】
【０００７】
【特許文献１】特開２００６−１５４６９４号公報
【考案の概要】
【考案が解決しようとする課題】
【０００８】
本考案は、このような従来技術の問題点に鑑み、提案されたものである。
従って、本考案の解決しようとする技術的課題は、現在使用している糸巻きをそのまま利用できるようにして、糸巻きの緩みを、低コストで確実に防止できるよう形成した三味線の糸巻きの緩み止め用具、及びこれを使用した、糸巻きの緩み防止機能付きの三味線を提供することにある。
【課題を解決するための手段】
【０００９】
本考案は、上記の課題を解決するため、次のような技術的手段を採る。
即ち、本考案は、図１等に示されるように、三味線２の棹３に糸巻き４を固定するのに使用する三味線２の糸巻き４の緩み止め用具１であって、糸巻き４の先端から糸巻き４の軸方向に沿って埋め込まれる棒状のナット１ａと、この棒状のナット１ａに糸巻き４の先端側から捩じ込まれるネジ１ｂと、このネジ１ｂの軸１ｂ１に嵌め挿される平板状のクッション材１ｃと、このクッション材１ｃを介してネジ１ｂの軸１ｂ１に螺合され、クッション材１ｃをネジ１ｂの頭１ｂ２の内面に密着させる平板状の締め付け部材１ｄとで形成されていることを特徴とする（請求項１）。
【００１０】
本考案の場合、クッション材１ｃは、弾性質の合成樹脂材やゴム材で形成される。また棒状のナット１ａは、糸巻き４に接着剤等で堅固に固定できるよう、外周面１ａ１が粗目加工され、接着剤の塗布面積が大きくなるよう、形成されているのが好ましい。また締め付け部材１ｄは、クッション材１ｃの全面に密着してネジ１ｂの頭１ｂ２に押し付けが可能になるよう、通常、クッション材１ｃの外径と同一か、クッション材１ｃの外径より大きく形成されているのが好ましい。
【００１１】
而して、本考案は、図６に示されるように、締め付け部材１ｄが、径の大きい本体部１ｄ２の片面側に、径の小さい小径部１ｄ３を本体部１ｄ２と同心状態で一体状に備えて形成されているのが好ましい（請求項２）。
なぜならこれによると、雌螺子の形成された螺子孔１ｄ１の長さを長くでき、締め付け部材１ｄをネジ１ｂの軸１ｂ１にしっかりと螺子合わすことができ、締め付け部材１ｄの緩みを、より確実に防止できるからである。
【００１２】
また本考案の三味線２としては、図１に示されるように、請求項１又は２記載の三味線２の糸巻き４の緩み止め用具１を備えて形成されているものがある。
【考案の効果】
【００１３】
本考案は、このように糸巻きの先端から糸巻きの軸方向に沿って埋め込まれる棒状のナットと、この棒状のナットに糸巻きの先端側から捩じ込まれるネジと、このネジの軸に嵌め挿される平板状のクッション材と、このクッション材を介してネジの軸に螺合され、クッション材をネジの頭の内面に密着させる平板状の締め付け部材とで形成されている。
【００１４】
従って、本考案の場合は、現在使用している糸巻きの先端にナットを取り付けることで、使用中の糸巻きをそのまま利用できる。それ故、本考案によれば、低コストで糸巻きの緩みを防止できる。
【００１５】
また本考案の場合は、ネジの締め付け力にクッション材の弾発力が加わるため、これによれば、ネジの締め付け力とクッション材の弾発力との相乗作用により、糸巻きの緩みを確実に防止できる。
【００１６】
また本考案の三味線は、上記のように形成されている緩み止め用具を備えて形成されている。
従って、これによれば、糸巻きの緩み止め機能を備えた三味線を、低コストで提供できる。
【図面の簡単な説明】
【００１７】
【図１】本考案の好適な一実施形態を示し、Ａは要部断面図、Ｂは三味線の正面図である。
【図２】本考案の要部分解斜視図である。
【図３】本考案の要部断面図である。
【図４】本考案の要部拡大断面図である。
【図５】本考案の要部正面図である。
【図６】締め付け部材の他の実施形態を示し、Ａは斜視図、Ｂは断面図である。
【考案を実施するための形態】
【００１８】
以下、本考案を実施するための好適な一実施形態を、添付図面に従って説明する。
本考案の緩み止め用具１は、図１等に示されるように、三味線２の棹３に糸巻き４を固定するのに使用する。
【００１９】
而して、本考案の緩み止め用具１は、糸巻き４の先端から糸巻き４の軸方向に沿って埋め込まれる棒状のナット１ａと、この棒状のナット１ａに糸巻き４の先端側から捩じ込まれるネジ１ｂと、このネジ１ｂの軸１ｂ１に嵌め挿される平板状のクッション材１ｃと、このクッション材１ｃを介してネジ１ｂの軸１ｂ１に螺合され、クッション材１ｃをネジ１ｂの頭１ｂ２の内面に密着させる平板状の締め付け部材１ｄとで形成されている。
【００２０】
棒状のナット１ａは、この実施形態では長さが２０ｍｍに選定されている。このナット１ａを糸巻き４に埋め込むときは、糸巻き４の軸心に糸巻き４と同心状に丸孔４ａを予め形成し、この丸孔４ａにナット１ａを嵌め込み接着する。そのため、この実施形態では、ナット１ａの外周面１ａ１（図２参照）に、接着剤が入り込み易くなるよう平目加工が施されている。
【００２１】
上記のネジ１ｂは、軸１ｂ１の長さが、この実施形態では１０ｍｍに選定され、頭１ｂ２は円形の平板状に形成されている。また頭１ｂ２の外周面は、手指でネジ１ｂを回し易くなるよう、滑り止め用の溝加工が施されている。
【００２２】
上記のクッション材１ｃは、例えば弾性質の合成樹脂材やシリコンゴム材で円形状に形成されている。そして、このクッション材１ｃは、その中心に、ネジ１ｂの軸１ｂ１を通すための孔１ｃ１が形成されている。この孔１ｃ１は、ネジ１ｂの頭１ｂ２の内面の段差１ｂ３（図１Ａ参照）に嵌め挿すことができるよう、直径が段差１ｂ３の直径より幾分大きく形成されている。またクッション材１ｃの厚みは、段差１ｂ３の厚みより厚く選定されている。
【００２３】
上記の締め付け部材１ｄは、クッション材１ｃと直径が同一の状態で円形に、例えば合成樹脂材で形成されている。この締め付け部材１ｄは、その中心に、雌螺子を有する螺子孔１ｄ１が形成されている。
【００２４】
５（図３等参照）は、糸巻き４の差込穴である。この差込穴５は、糸巻き４の外周面との磨耗を防止できるよう、ブシュ状の金属製筒状金具６を備えて形成されている。この実施形態の場合、ネジ１ｂの頭１ｂ２は、この金具６の外面に露出する鍔状部６ａに密着される。
【００２５】
本考案の三味線２は、上記のように形成されている緩み止め用具１を備えて形成されている。具体的には、図１Ｂに示されるように、各糸巻き４の先端にネジ１ｂが捩じ込まれた状態で形成されている。
【００２６】
次に、この実施形態の本考案の作用を説明する。
【００２７】
使用者は、図１Ａに示されるように、糸巻き４の丸孔４ａに棒状のナット１ａを嵌め込み接着する。次に、使用者は、ネジ１ｂの軸１ｂ１にクッション材１ｃを嵌め差し、締め付け部材１ｄを締め込んでクッション材１ｃをネジ１ｂの頭１ｂ２の内面に密着させる。この場合、締め付け部材１ｄの締め込み度合いを変えることにより、クッション材１ｃの弾発力を調節する。
【００２８】
次に、使用者は、糸巻き４を棹３の差込穴５に差し込み、糸巻き４の先端の側から、クッション材１ｃを備えたネジ１ｂを棒状のナット１ａに捻じ込む。
【００２９】
ネジ１ｂが締め込まれ、ネジ１ｂの頭１ｂ２が棹３の金属製筒状金具６の鍔状部６ａに当たった状態で、使用者が、クッション材１ｃの弾発力に抗して更にネジ１ｂを締め込むと、ネジ１ｂの頭１ｂ２が上記の鍔状部６ａに密着される。これにより、糸巻き４は、ネジ１ｂの締め付け力とクッション材１ｃの弾発力とで棹３にきつく固定され、緩みが防止される。
【００３０】
以上の処において、本考案の場合、上記の締め付け部材１ｄは、図６に示されるように、径の大きい本体部１ｄ２の片面側に、径の小さい小径部１ｄ３を本体部１ｄ２と同心状態で一体状に備えて形成されているのでも良い。
この場合は、螺子孔１ｄ１が長くなるから、これによれば、ネジ１ｂの軸１ｂ１との螺合状態をしっかりと、堅固にできる、という利点がある。
【符号の説明】
【００３１】
１      緩み止め用具
１ａ    棒状のナット
１ｂ    ネジ
１ｂ１  軸
１ｂ２  頭
１ｃ    クッション材
１ｄ    締め付け部材
２      三味線
３      棹
４      糸巻き
【図１】
0003180502.tif 000003
【図２】
0003180502.tif 000004
【図３】
0003180502.tif 000005
【図４】
0003180502.tif 000006
【図５】
0003180502.tif 000007
【図６】
0003180502.tif 000008